(57)【要約】【課題】  開示する情報処理システムは、携帯情報端末とそれに接続されるハードウエアとを含むシステムであって、当該ハードウエアの利用便利性を考慮しつつ、携帯情報端末からハードウエアに対し制御用電源を供給することができる。【解決手段】  開示する情報処理システムの一形態は、携帯情報端末とそのオーディオ入出力端子に接続されるハードウエアとを含むシステムであって、一のオーディオ出力端子から出力された信号を機器間の制御用信号として利用すると共に、他のオーディオ出力端子から出力された信号を昇圧し当該ハードウエア駆動用の電源として利用することを特徴とする。また、他形態では、一のオーディオ出力端子から出力された信号を機器間の制御用信号として利用すると共に、当該一のオーディオ出力端子から出力された信号を分割・昇圧し当該ハードウエア駆動用の電源として利用することを特徴とする。【選択図】図２
2012194931.tif 000002
【特許請求の範囲】
【請求項１】
オーディオ入出力端子を備える携帯情報端末及び該オーディオ入出力端子を介して前記携帯情報端末と接続され、前記携帯情報端末から電源供給を受けない外部装置を含む情報処理システムであって、
前記携帯情報端末が、
前記携帯情報端末が備える記憶装置に保持される、前記外部装置の制御信号を含む所定のデジタルデータを読み出す読み出し手段と、
前記読み出し手段により読み出された前記所定のデジタルデータをアナログオーディオデータに変換する第１のＤ／Ａ変換手段と、
前記第１のＤ／Ａ変換手段により変換された前記アナログオーディオデータを前記携帯情報端末が備えるオーディオ再生バッファへ転送する転送手段と、
前記転送手段により転送された前記アナログオーディオデータを、一の出力チャンネル信号として前記外部装置へ出力する第１のオーディオデータ出力手段と、を有し、
前記外部装置が、
前記第１のオーディオデータ出力手段により出力された前記アナログオーディオデータをデジタルデータに変換する第１のＡ／Ｄ変換手段と、
前記第１のＡ／Ｄ変換手段により変換された前記デジタルデータに基づいて、前記外部装置が備える所定の機能を発揮させるための自機制御を行う自機制御手段と、を有し、
前記第１のオーディオデータ出力手段が、他の前記出力チャンネル信号として前記アナログオーディオデータを前記外部装置へ出力し、
前記外部装置が、
前記第１のオーディオデータ出力手段により前記他の出力チャンネル信号として出力された前記アナログオーディオデータに基づく電力を用いて、前記外部装置を駆動させる電源供給手段をさらに有することを特徴とする情報処理システム。
【請求項２】
オーディオ入出力端子を備える携帯情報端末及び該オーディオ入出力端子を介して前記携帯情報端末と接続され、前記携帯情報端末から電源供給を受けない外部装置を含む情報処理システムであって、
前記携帯情報端末が、
前記携帯情報端末が備える記憶装置に保持される、前記外部装置の制御信号を含む所定のデジタルデータを読み出す読み出し手段と、
前記読み出し手段により読み出された前記所定のデジタルデータをアナログオーディオデータに変換する第１のＤ／Ａ変換手段と、
前記第１のＤ／Ａ変換手段により変換された前記アナログオーディオデータを前記携帯情報端末が備えるオーディオ再生バッファへ転送する転送手段と、
前記転送手段により転送された前記アナログオーディオデータを、一の出力チャンネル信号として前記外部装置へ出力する第１のオーディオデータ出力手段と、を有し、
前記外部装置が、
前記第１のオーディオデータ出力手段により出力された前記アナログオーディオデータをデジタルデータに変換する第１のＡ／Ｄ変換手段と、
前記第１のＡ／Ｄ変換手段により変換された前記デジタルデータに基づいて、前記外部装置が備える所定の機能を発揮させるための自機制御を行う自機制御手段と、
前記第１のオーディオデータ出力手段により前記一の出力チャンネル信号として出力された前記アナログオーディオデータに基づく電力を用いて、前記外部装置を駆動させる電源供給手段と、を有することを特徴とする情報処理システム。
【請求項３】
前記外部装置が、
前記外部装置が備える所定の機能を発揮させた結果として生成されるデジタルデータをアナログオーディオデータに変換する第２のＤ／Ａ変換手段と、
前記第２のＤ／Ａ変換手段により変換した前記アナログオーディオデータを、前記携帯情報端末が備えるオーディオ録音バッファへ録音チャンネル信号として出力する第２のオーディオデータ出力手段と、を有し、
前記携帯情報端末が、
前記第２のオーディオデータ出力手段により出力された前記アナログオーディオデータをデジタルデータに変換する第２のＡ／Ｄ変換手段と、
前記第２のＡ／Ｄ変換手段により変換された前記デジタルデータを、前記記憶装置の所定の記憶領域に書き込むデジタルデータ書込み手段と、を有することを特徴とする請求項１又は２に記載の情報処理システム。
【請求項４】
前記電源供給手段が、前記第１のオーディオデータ出力手段により前記他の出力チャンネル信号として出力された前記アナログオーディオデータを昇圧電源回路に入力して得られる出力電力を用いて、前記外部装置を駆動させることを特徴とする請求項１又は請求項１を引用する請求項３に記載の情報処理システム。
【請求項５】
前記電源供給手段が、前記第１のオーディオデータ出力手段により前記一の出力チャンネル信号として出力された前記アナログオーディオデータを昇圧電源回路に入力して得られる出力電力を用いて、前記外部装置を駆動させることを特徴とする請求項２又は請求項２を引用する請求項３に記載の情報処理システム。
【請求項６】
前記第１のＤ／Ａ変換手段、前記第１のＡ／Ｄ変換手段、前記第２のＤ／Ａ変換手段及び第２のＡ／Ｄ変換手段は、バイフェーズ符号を利用して、オーディオデータ・デジタルデータ間の変換を行うことを特徴とする請求項１乃至５の何れか一に記載の情報処理システム。
【請求項７】
前記第１のオーディオデータ出力手段により出力される、前記一の出力チャネル信号と前記他の出力チャネル信号との位相差がπであることを特徴とする請求項１に記載の情報処理システム。
【請求項８】
オーディオ入出力端子を備える携帯情報端末及び該オーディオ入出力端子を介して前記携帯情報端末と接続され、前記携帯情報端末から電源供給を受けない外部装置を含む情報処理システムにおける情報処理方法であって、
前記携帯情報端末においては、
読み出し手段が、前記携帯情報端末が備える記憶装置に保持される、前記外部装置の制御信号を含む所定のデジタルデータを読み出すステップと、
第１のＤ／Ａ変換手段が、前記読み出し手段により読み出された前記所定のデジタルデータをアナログオーディオデータに変換するステップと、
転送手段が、前記第１のＤ／Ａ変換手段により変換された前記アナログオーディオデータを前記携帯情報端末が備えるオーディオ再生バッファへ転送するステップと、
第１のオーディオデータ出力手段が、前記転送手段により転送された前記アナログオーディオデータを、一の出力チャンネル信号として前記外部装置へ出力するステップと、を備え、
前記外部装置においては、
第１のＡ／Ｄ変換手段が、前記第１のオーディオデータ出力手段により出力された前記アナログオーディオデータをデジタルデータに変換するステップと、
自機制御手段が、前記第１のＡ／Ｄ変換手段により変換された前記デジタルデータに基づいて、前記外部装置が備える所定の機能を発揮させるための自機制御を行うステップと、を備え、
前記第１のオーディオデータ出力手段が、他の前記出力チャンネル信号として前記アナログオーディオデータを前記外部装置へ出力し、
さらに、前記外部装置においては、
電源供給手段が、前記第１のオーディオデータ出力手段により前記他の出力チャンネル信号として出力された前記アナログオーディオデータに基づく電力を用いて、前記外部装置を駆動させるステップを備えることを特徴とする情報処理方法。
【請求項９】
オーディオ入出力端子を備える携帯情報端末及び該オーディオ入出力端子を介して前記携帯情報端末と接続され、前記携帯情報端末から電源供給を受けない外部装置を含む情報処理システムにおける情報処理方法であって、
前記携帯情報端末においては、
読み出し手段が、前記携帯情報端末が備える記憶装置に保持される、前記外部装置の制御信号を含む所定のデジタルデータを読み出すステップと、
第１のＤ／Ａ変換手段が、前記読み出し手段により読み出された前記所定のデジタルデータをアナログオーディオデータに変換するステップと、
転送手段が、前記第１のＤ／Ａ変換手段により変換された前記アナログオーディオデータを前記携帯情報端末が備えるオーディオ再生バッファへ転送するステップと、
第１のオーディオデータ出力手段が、前記転送手段により転送された前記アナログオーディオデータを、一の出力チャンネル信号として前記外部装置へ出力するステップと、を備え、
前記外部装置においては、
第１のＡ／Ｄ変換手段が、前記第１のオーディオデータ出力手段により出力された前記アナログオーディオデータをデジタルデータに変換するステップと、
自機制御手段が、前記第１のＡ／Ｄ変換手段により変換された前記デジタルデータに基づいて、前記外部装置が備える所定の機能を発揮させるための自機制御を行うステップと、
電源供給手段が、前記第１のオーディオデータ出力手段により前記一の出力チャンネル信号として出力された前記アナログオーディオデータに基づく電力を用いて、前記外部装置を駆動させるステップを備えることを特徴とする情報処理方法。
【請求項１０】
前記外部装置においては、
第２のＤ／Ａ変換手段が、前記外部装置が備える所定の機能を発揮させた結果として生成されるデジタルデータをアナログオーディオデータに変換するステップと、
第２のオーディオデータ出力手段が、前記第２のＤ／Ａ変換手段により変換した前記アナログオーディオデータを、前記携帯情報端末が備えるオーディオ録音バッファへ録音チャンネル信号として出力するステップと、を備え、
前記携帯情報端末においては、
第２のＡ／Ｄ変換手段が、前記第２のオーディオデータ出力手段により出力された前記アナログオーディオデータをデジタルデータに変換するステップと、
デジタルデータ書込み手段が、前記第２のＡ／Ｄ変換手段により変換された前記デジタルデータを、前記記憶装置の所定の記憶領域に書き込むステップと、を備えることを特徴とする請求項８又は９に記載の情報処理方法。
【請求項１１】
前記電源供給手段が、前記第１のオーディオデータ出力手段により前記他の出力チャンネル信号として出力された前記アナログオーディオデータを昇圧電源回路に入力して得られる出力電力を用いて、前記外部装置を駆動させることを特徴とする請求項８又は請求項８を引用する請求項１０に記載の情報処理方法。
【請求項１２】
前記電源供給手段が、前記第１のオーディオデータ出力手段により前記一の出力チャンネル信号として出力された前記アナログオーディオデータを昇圧電源回路に入力して得られる出力電力を用いて、前記外部装置を駆動させることを特徴とする請求項９又は請求項９を引用する請求項１０に記載の情報処理方法。
【請求項１３】
前記第１のＤ／Ａ変換手段、前記第１のＡ／Ｄ変換手段、前記第２のＤ／Ａ変換手段及び第２のＡ／Ｄ変換手段は、バイフェーズ符号を利用して、オーディオデータ・デジタルデータ間の変換を行うことを特徴とする請求項８乃至１２の何れか一に記載の情報処理方法。
【請求項１４】
前記第１のオーディオデータ出力手段により出力される、前記一の出力チャネル信号と前記他の出力チャネル信号との位相差がπであることを特徴とする請求項８に記載の情報処理方法。
【請求項１５】
オーディオ入出力端子を備える携帯情報端末及び該オーディオ入出力端子を介して前記携帯情報端末と接続され、前記携帯情報端末から電源供給を受けない外部装置であって、
一の出力チャンネル信号として取得するアナログオーディオデータをデジタルデータに変換する第１のＡ／Ｄ変換手段と、
前記第１のＡ／Ｄ変換手段により変換された前記デジタルデータに基づいて、当該外部装置が備える所定の機能を発揮させるための自機制御を行う自機制御手段と、
前記所定の機能を発揮させた結果として生成されるデジタルデータをアナログオーディオデータに変換する第２のＤ／Ａ変換手段と、
前記第２のＤ／Ａ変換手段により変換した前記オーディオデータを、録音チャンネル信号として出力する第２のオーディオデータ出力手段と、
他の出力チャンネル信号として取得するアナログオーディオデータに基づく電力を用いて、当該外部装置を駆動させる電源供給手段と、を有することを特徴とする外部装置。
【請求項１６】
オーディオ入出力端子を備える携帯情報端末及び該オーディオ入出力端子を介して前記携帯情報端末と接続され、前記携帯情報端末から電源供給を受けない外部装置であって、
一の出力チャンネル信号として取得するアナログオーディオデータをデジタルデータに変換する第１のＡ／Ｄ変換手段と、
前記第１のＡ／Ｄ変換手段により変換された前記デジタルデータに基づいて、当該外部装置が備える所定の機能を発揮させるための自機制御を行う自機制御手段と、
前記所定の機能を発揮させた結果として生成されるデジタルデータをアナログオーディオデータに変換する第２のＤ／Ａ変換手段と、
前記第２のＤ／Ａ変換手段により変換した前記オーディオデータを、録音チャンネル信号として出力する第２のオーディオデータ出力手段と、
前記一の出力チャンネル信号として取得するアナログオーディオデータに基づく電力を用いて、当該外部装置を駆動させる電源供給手段と、を有することを特徴とする外部装置。
【発明の詳細な説明】
【技術分野】
【０００１】
携帯情報端末及びそれに接続する外部装置を含むシステムに関し、当該外部装置に対する電源供給の技術に関する。
【背景技術】
【０００２】
近年、スマートフォンと呼ばれる携帯情報端末が普及している。当該携帯情報端末は、小型で持ち運びが容易である上に、種々のアプリケーションを利用することによって、パーソナルコンピュータも顔負けするような機能を備える。
【０００３】
上記のように、ユーザが希望する機能を実現させるアプリケーションを携帯情報端末にインストールすることによって、当該携帯情報端末は所望の機能を備えることになる一方、アプリケーション（ソフトウエア）を搭載するだけでは、実現可能な機能は限定される。
【０００４】
携帯情報端末にソフトウエアを搭載するだけでは実現不可能な機能は、当該携帯情報端末に特定のハードウエアを接続し、当該ハードウエアを制御し機能させることによって、実現させることができる場合が有る。
【発明の概要】
【発明が解決しようとする課題】
【０００５】
しかしながら、上記特定の機能を備えるハードウエアを駆動させるには電源が必要となるため、当該ハードウエアに電池などの電源を備えさせることが考えられるが、その場合、上記した携帯情報端末の携帯容易性を犠牲にするという問題が有る。
【０００６】
また、携帯情報端末が備える外部接続端子を用いて上記ハードウエアに電源を供給することも考えられるが、当該外部接続端子は、そのような利用形態を想定していないため、設置位置が上記ハードウエアの利用に適していない場合が多いという問題が有る。
【０００７】
そこで本発明においては、上記の問題点に鑑み、携帯情報端末とそれに接続されるハードウエアとを含むシステムであって、当該システムの利用便利性を考慮しつつ、携帯情報端末からハードウエアに対し制御用電源を供給することができる情報処理システム、情報処理方法を提供することを目的とする。
【課題を解決するための手段】
【０００８】
開示する情報処理システムの一形態は、オーディオ入出力端子を備える携帯情報端末及び該オーディオ入出力端子を介して前記携帯情報端末と接続され、前記携帯情報端末から電源供給を受けない外部装置を含む情報処理システムであって、前記携帯情報端末が、前記携帯情報端末が備える記憶装置に保持される、前記外部装置の制御信号を含む所定のデジタルデータを読み出す読み出し手段と、前記読み出し手段により読み出された前記所定のデジタルデータをアナログオーディオデータに変換する第１のＤ／Ａ変換手段と、前記第１のＤ／Ａ変換手段により変換された前記アナログオーディオデータを前記携帯情報端末が備えるオーディオ再生バッファへ転送する転送手段と、前記転送手段により転送された前記アナログオーディオデータを、一の出力チャンネル信号として前記外部装置へ出力する第１のオーディオデータ出力手段と、を有し、前記外部装置が、前記第１のオーディオデータ出力手段により出力された前記アナログオーディオデータをデジタルデータに変換する第１のＡ／Ｄ変換手段と、前記第１のＡ／Ｄ変換手段により変換された前記デジタルデータに基づいて、前記外部装置が備える所定の機能を発揮させるための自機制御を行う自機制御手段と、を有し、前記第１のオーディオデータ出力手段が、他の前記出力チャンネル信号として前記アナログオーディオデータを前記外部装置へ出力し、前記外部装置が、前記第１のオーディオデータ出力手段により前記他の出力チャンネル信号として出力された前記アナログオーディオデータに基づく電力を用いて、前記外部装置を駆動させる電源供給手段をさらに有することを特徴とする。
【０００９】
また、開示する情報処理システムの他形態は、オーディオ入出力端子を備える携帯情報端末及び該オーディオ入出力端子を介して前記携帯情報端末と接続され、前記携帯情報端末から電源供給を受けない外部装置を含む情報処理システムであって、前記携帯情報端末が、前記携帯情報端末が備える記憶装置に保持される、前記外部装置の制御信号を含む所定のデジタルデータを読み出す読み出し手段と、前記読み出し手段により読み出された前記所定のデジタルデータをアナログオーディオデータに変換する第１のＤ／Ａ変換手段と、前記第１のＤ／Ａ変換手段により変換された前記アナログオーディオデータを前記携帯情報端末が備えるオーディオ再生バッファへ転送する転送手段と、前記転送手段により転送された前記アナログオーディオデータを、一の出力チャンネル信号として前記外部装置へ出力する第１のオーディオデータ出力手段と、を有し、前記外部装置が、前記第１のオーディオデータ出力手段により出力された前記アナログオーディオデータをデジタルデータに変換する第１のＡ／Ｄ変換手段と、前記第１のＡ／Ｄ変換手段により変換された前記デジタルデータに基づいて、前記外部装置が備える所定の機能を発揮させるための自機制御を行う自機制御手段と、前記第１のオーディオデータ出力手段により前記一の出力チャンネル信号として出力された前記アナログオーディオデータに基づく電力を用いて、前記外部装置を駆動させる電源供給手段と、を有することを特徴とする。
【発明の効果】
【００１０】
開示の情報処理システムは、携帯情報端末とそれに接続されるハードウエアとを含むシステムであって、当該システムの利用便利性を考慮しつつ、携帯情報端末からハードウエアに対し制御用電源を供給することができる。
【図面の簡単な説明】
【００１１】
【図１】本実施の形態に係る情報処理システムの概要を説明する図である。
【図２】本実施の形態に係る情報処理システムの機能ブロック図である。
【図３】本実施の形態に係る情報処理システムにおける電源供給の仕組みを模式的に表した図である。
【図４】本実施の形態に係る携帯情報端末における表示画面の一例を示す図である。
【図５】本実施の形態に係る携帯情報端末のハードウエア構成例を示す図である。
【図６】本実施の形態に係る外部装置のハードウエア構成例を示す図である。
【図７】本実施の形態に係る情報処理システムによるデータ送信処理の流れを示すフローチャートである。
【図８】本実施の形態に係る情報処理システムによるデータ受信処理の流れを示すフローチャートである。
【図９】本実施の形態に係る情報処理システムによる電源供給処理（その１）の流れを示すフローチャートである。
【図１０】本実施の形態に係る情報処理システムによる電源供給処理（その２）の流れを示すフローチャートである。
【発明を実施するための形態】
【００１２】
図面を参照しながら、本発明を実施するための形態について説明する。
（情報処理システムの概要）
【００１３】
図１を用いて、本実施の形態に係る情報処理システム５００の概要を説明する。図１は、情報処理システム５００の概要を説明する図である。図１で示すように、情報処理システム５００は、スマートフォンなどの携帯情報端末１００、外部装置３００を含み、携帯情報端末１００と外部装置３００とは、それぞれが備えるオーディオ入出力端子１９０、４６０を介して接続される。つまり、情報処理システム５００は、携帯情報端末１００の備えるオーディオ入出力端子１９０に、フォーンプラグ（Phone Plug）４６０を差し込んで使用する。なお、オーディオ入出力端子１９０、フォーンプラグ４６０は、Ｌ極、Ｒ極、Ｍｉｃ極、Ｇｎｄ極の４極を備えている。
【００１４】
携帯情報端末１００は、外部装置３００の制御用アプリケーション２８０を備えており、制御用アプリケーション２８０を利用することにより外部装置３００を制御する。一方、外部装置３００は、所定の機能を有するハードウエアであって、携帯情報端末１００から制御用アプリケーション２８０を利用して制御されることにより、所定の機能を発揮する。また、外部装置３００は、所定の機能を発揮した結果として得られるデータを携帯情報端末１００へ送信する。つまり、携帯情報端末１００側のアプリケーション２８０を起動すると、オーディオ入出力端子１９０及びフォーンプラグ４６０は、Ｌ極、Ｒ極、Ｍｉｃ極、Ｇｎｄ極の４極を介して、携帯情報端末１００・外部装置３００間で処理対象データの授受を行わせる。
【００１５】
ここで、外部装置３００が備える所定の機能とは、温度・湿度・気圧（高度）・紫外線のセンサー機能であり、例えば、山登り時の高度・温度・湿度の確認、外出時の熱中症対策（温度・湿度）、風邪のひき易さチェック（温度・湿度）、うるおい状況チェック（温度・湿度）、ＵＶチェック（紫外線）、体温計（温度）として利用することができる。また、所定の機能とは、水分のセンサー機能であり、例えば、スキンチェッカー、体脂肪計として利用することができる。さらに、所定の機能とは、フォトリフレクタ（光）のセンサー機能であり、例えば、心拍計・脈拍計、光量計として利用することができる。
【００１６】
外部装置３００が備える所定の機能とは、その他、アルコールチェッカー、ブレスチェッカーなど臭気センサー機能、花粉チェッカー、ハウスダストチェッカーなどダストセンサー機能、油などの液体や壁など、離れた（又は直接触れ難い）物体の温度測定など赤外線温度センサー、体重計など重さセンサー、距離測定、移動体探知など超音波センサー、距離測定など赤外線レーザーセンサー、おサイフケータイ機能（Ｆｅｌｉｃａ、Ｓｕｉｃａ、Ｅｄｙ、ｅｔｃ）などＮＦＣ（Near Field Communication）センサー、クレジットカードカードリーダー、電流測定、回転角測定、方位測定、移動体探知、磁性体探知、非破壊検査、脳磁計など磁気センサー、移動体検知などドップラーセンサーとしての機能である。
【００１７】
また、外部装置３００が備える所定の機能とは、ストロボ信号通知機能（フラッシュを光らせてカメラで撮影する際のタイミングを通知するインタフェース機能）、データ通信機能（低容量のデータ通信機能、アドレス帳などのデータ交換機能、アプリや本体操作をロックするためのＩＤキー通知機能）、入力デバイス機能（ゲームコントローラ、キーボード、ポインティングデバイス（マウス・トラックボール・ペンタブレット）、バーコードスキャナー、生体認証（指紋など）としての機能）、放射線量計測機能（例えば、ガイガー・カウンターなどの放射線量計測器）とすることもできる。
（情報処理システムの動作原理）
【００１８】
図２を用いて、本実施の形態に係る情報処理システム５００の動作原理について説明する。図３は、情報処理システム５００の機能ブロック図である。図３で示すように、情報処理システム５００は、携帯情報端末１００、外部装置３００を含む。
【００１９】
携帯情報端末１００は、読み出し手段１１０、第１のＤ／Ａ変換手段１２０、転送手段１３０、第１のオーディオデータ出力手段１４０、第２のＡ／Ｄ変換手段１５０、書込み手段１６０、記憶装置１７０、オーディオ再生バッファ１８０、オーディオ入出力端子１９０、オーディオ録音バッファ２００を有する。一方、外部装置３００は、第１のＡ／Ｄ変換手段３１０、自機制御手段３２０、所定の機能手段３３０、第２のＤ／Ａ変換手段３４０、第２のオーディオデータ出力手段３５０、電源供給手段３６０を有する。はじめに、携帯情報端末１００が有する各手段について説明する。
【００２０】
読み出し手段１１０は、携帯情報端末１００の記憶装置１７０に記憶されている、外部装置３００へ送信する処理対象データ（デジタル形式で記憶されるデータ）を読み出す。ここで、処理対象データは、外部装置３００に対する制御信号であっても良く、そのような意味の全く無いデータであっても良く、または、それらのデータが混在するデータであっても良い。なお、読み出し手段１１０の処理は、所定の機能アプリケーション２９０が起動されたことをトリガーにして開始される。例えば、図４で示すように、携帯情報端末１００の操作画面２６０上に配置される所定の機能アプリ２９０を選択し実行指示を行うと、読み出し手段１１０の処理が開始される。
【００２１】
第１のＤ／Ａ変換手段１２０は、読み出し手段１１０により読み出されたデジタルデータをアナログオーディオデータに変換する。また、第１のＤ／Ａ変換手段１２０は、Ｆｍ符号、マンチェスター符号などのバイフェーズ符号を利用して、デジタルデータをアナログオーディオデータに変換する。ここでバイフェーズ符号とは、ビット時間の中央で電位が切り替わる符号方式の総称である。例えば、マンチェスター符号は、データ伝送コードの形式の一つであって、伝送レベルの高低の変化を０と１の符号で表し、低レベルから高レベルへの変化を０で、高レベルから低レベルへの変化を１でそれぞれ表すものであるが、本実施の形態ではその逆の変換規則であっても良い。
【００２２】
転送手段１３０は、第１のＤ／Ａ変換手段１２０により生成（変換）されたアナログオーディオデータをオーディオ再生バッファ１８０に転送する。ここで、オーディオ再生バッファ１８０とは、携帯情報端末１００が音データの再生処理を行う際、再生させる音データを一時的にバッファリングするための記憶領域である。
【００２３】
図３（ａ）で示すように、第１のオーディオデータ出力手段１４０は、オーディオ再生バッファ１８０にバッファリングされるアナログオーディオデータを、オーディオ入出力端子１９０のＬ極及びＲ極を介して、外部装置３００へ出力する。この際、Ｌ極から出力されるデータとＲ極から出力されるデータとは位相差πの同一データとなる。これは、オーディオ入出力端子１９０からフォーンプラグ４６０を引き抜いた際、オーディオ再生バッファ１８０にバッファリングされたデータが、携帯情報端末１００のスピーカーから出力されない様に、Ｌ・Ｒ両極から出力される波形を打ち消し合わせるためである。こうすることによって、不快な音をスピーカーから出力させないため、ユーザに不快な思いをさせず、ユーザの満足度を向上させることができる。
【００２４】
また、図３（ｂ）で示すように、他形態における第１のオーディオデータ出力手段１４０は、オーディオ再生バッファ１８０にバッファリングされるアナログオーディオデータを、オーディオ入出力端子１９０のＬ極又はＲ極の一方を介して、外部装置３００へ出力する。この際、アナログオーディオデータが出力されないＲ極又はＬ極は、音楽データなどの信号を出力するなど、出力するデータの制限無しに使用することができる。
【００２５】
第２のＡ／Ｄ変換手段２００は、オーディオ録音バッファ２００にバッファリングされるアナログオーディオデータをデジタルデータに変換する。また、第２のＡ／Ｄ変換手段２００は、Ｆｍ符号、マンチェスター符号などのバイフェーズ符号を利用して、アナログオーディオデータをデジタルデータに変換する形態としても良い。ここで、オーディオ録音バッファ２００とは、携帯情報端末１００が音データの録音処理を行う際、録音させる音データを一時的にバッファリングするための記憶領域である。
【００２６】
書込み手段１６０は、第２のＡ／Ｄ変換手段２００により生成（変換）されたデジタルデータを、記憶装置１７０の所定の場所に記憶させる。ここで、所定の場所は、予め定める形態であっても良く、第２のＡ／Ｄ変換手段２００により生成（変換）されたデジタルデータ内で規定される形態であっても良い。また、所定の場所は、書込み手段１６０の処理の都度ユーザなどが設定する形態であっても良い。
【００２７】
次に、外部装置３００が有する各手段について説明する。第１のＡ／Ｄ変換手段３１０は、オーディオ入出力端子１９０のＬ極（又はＲ極）を介して取得した、第１のオーディオデータ出力手段１４０により出力されるアナログオーディオデータをデジタルデータに変換する。また、第１のＡ／Ｄ変換手段３１０は、Ｆｍ符号、マンチェスター符号などのバイフェーズ符号を利用して、アナログオーディオデータをデジタルデータに変換する形態としても良い。
【００２８】
自機制御手段３２０は、第１のＡ／Ｄ変換手段３１０により生成（変換）されたデジタルデータに基づいて、後述する所定の機能手段３３０を制御する。つまり、第１のＡ／Ｄ変換手段３１０により生成（変換）されたデジタルデータは、携帯情報端末１００から送信された、外部装置３００に対する制御信号を含む。
【００２９】
所定の機能手段３３０は、外部装置３００が備える所定の機能を実現し、所定の機能を発揮させた結果であるデジタルデータを生成する。ここで、所定の機能とは、温度・湿度・気圧（高度）・紫外線のセンサー機能であり、例えば、山登り時の高度・温度・湿度の確認、外出時の熱中症対策（温度・湿度）、風邪のひき易さチェック（温度・湿度）、うるおい状況チェック（温度・湿度）、ＵＶチェック（紫外線）、体温計（温度）として利用することができる。また、所定の機能とは、水分のセンサー機能であり、例えば、スキンチェッカー、体脂肪計として利用することができる。さらに、所定の機能とは、フォトリフレクタ（光）のセンサー機能であり、例えば、心拍計・脈拍計、光量計として利用することができる。所定の機能とは、その他、アルコールチェッカー、ブレスチェッカーなど臭気センサー機能、花粉チェッカー、ハウスダストチェッカーなどダストセンサー機能、油などの液体や壁など、離れた（又は直接触れ難い）物体の温度測定など赤外線温度センサー、体重計など重さセンサー、距離測定、移動体探知など超音波センサー、距離測定など赤外線レーザーセンサー、おサイフケータイ機能（Ｆｅｌｉｃａ、Ｓｕｉｃａ、Ｅｄｙ、ｅｔｃ）などＮＦＣ（Near Field Communication）センサー、クレジットカードカードリーダー、電流測定、回転角測定、方位測定、移動体探知、磁性体探知、非破壊検査、脳磁計など磁気センサー、移動体検知などドップラーセンサーとしての機能である。また、外部装置３００が備える所定の機能とは、ストロボ信号通知機能（フラッシュを光らせてカメラで撮影する際のタイミングを通知するインタフェース機能）、データ通信機能（低容量のデータ通信機能、アドレス帳などのデータ交換機能、アプリや本体操作をロックするためのＩＤキー通知機能）、入力デバイス機能（ゲームコントローラ、キーボード、ポインティングデバイス（マウス・トラックボール・ペンタブレット）、バーコードスキャナー、生体認証（指紋など）としての機能）、放射線量計測機能（例えば、ガイガー・カウンターなどの放射線量計測器）とすることもできる。
【００３０】
第２のＤ／Ａ変換手段３４０は、所定の機能手段３３０により生成されたデジタルデータをアナログオーディオデータに変換する。ここで、所定の機能手段３３０により生成されたデジタルデータとは、外部装置３００が所定の機能を発揮させた結果である。また、第２のＤ／Ａ変換手段３４０は、Ｆｍ符号、マンチェスター符号などのバイフェーズ符号を利用して、デジタルデータをアナログオーディオデータに変換する形態としても良い。
【００３１】
第２のオーディオデータ出力手段３５０は、第２のＤ／Ａ変換手段３４０により生成（変換）されたアナログオーディオデータを、オーディオ録音バッファ２００にオーディオ入出力端子１９０のＭｉｃ極を介して出力する。
【００３２】
電源供給手段３６０は、オーディオ入出力端子１９０のＲ極（又はＬ極）を介して取得した、第１のオーディオデータ出力手段１４０により出力されるアナログオーディオデータを昇圧回路（例えば、半波倍電圧整流回路、全波倍電圧回路、半波３倍電圧回路など）へ入力する。そして、電源供給手段３６０は、昇圧回路の出力として得られる電力を外部装置３００が備えるＭＣＵ（Micro Controller Unit）４１０に供給し、ＭＣＵ４１０を駆動させる。ここで、第１のＡ／Ｄ変換手段３１０、自機制御手段３２０、所定の機能手段３３０、第２のＤ／Ａ変換手段３４０、第２のオーディオデータ出力手段３５０のいずれか１つ以上の手段は、ＭＣＵ４１０により実行（制御）される。
【００３３】
ここで、第１のＡ／Ｄ変換手段３１０がＬチャンネル信号を利用する場合、電源供給手段３６０はＲチャンネル信号を利用し、第１のＡ／Ｄ変換手段３１０がＲチャンネル信号を利用する場合、電源供給手段３６０はＬチャンネル信号を利用する。また、第１のＡ／Ｄ変換手段３１０と電源供給手段３６０とが同一チャンネルの信号を利用する形態であっても良い。
【００３４】
なお、本実施の形態におけるＤ／Ａ変換、Ａ／Ｄ変換でバイフェーズ符号のように矩形波を用いるメリットは、矩形波は正弦波に比し各波形内の面積が大きくなるため、抽出できる電気エネルギーの量が大きくなるということが挙げられる。
（携帯情報端末のハードウエア構成）
【００３５】
図５を用いて、本実施の形態に係る携帯情報端末１００のハードウエア構成の一例について説明する。図５は、携帯情報端末１００のハードウエア構成の一例を示す図である。
【００３６】
図５で示すように、携帯情報端末１００は、ＣＰＵ（Central Processing Unit）２１０、ＲＯＭ（Read-Only Memory）２２０、ＲＡＭ（Random
Access Memory）２３０、フラッシュメモリ（Flash Memory）２４０、無線通信ユニット２５０、表示装置２６０、オーディオ入出力端子１９０、外部接続端子２７０を有する。
【００３７】
ＣＰＵ２１０は、ＲＯＭ２２０に記憶されたプログラムを実行する装置であり、ＲＡＭ２３０に展開（ロード）されたデータを、プログラムの命令に従って演算処理し、携帯情報端末１００全体を制御する。ＲＯＭ２２０は、ＣＰＵ２１０が実行するプログラムやデータを記憶している。ＲＡＭ２３０は、ＣＰＵ２１０でＲＯＭ２２０に記憶されたプログラムを実行する際に、実行するプログラムやデータが展開（ロード）され、演算の間、演算データを一時的に保持する。
【００３８】
フラッシュメモリ２４０は、基本ソフトウエアであるＯＳや本実施の形態に係るアプリケーションプログラムなどを、関連するデータとともに記憶する装置である。例えば、フラッシュメモリ２４０には、読み出し手段１１０、書込み手段１６０の処理対象となるデジタルデータが記憶される。
【００３９】
無線通信ユニット２５０は、携帯電話や無線ＬＡＮ（Local Area Network）など無線通信機能を提供するためのユニットである。表示装置２６０は、ＬＣＤ（Liquid
Crystal Display）等で構成される装置であり、携帯情報端末１００が有する機能をユーザが利用する際や各種設定を行う際のユーザインタフェースとして機能する装置である。オーディオ入出力端子１９０は、ヘッドフォンやイヤフォンを接続し、音情報を外部出力するための端子であり、Ｌ極・Ｒ極・Ｍｉｃ極・Ｇｎｄ極の４極対応の端子である。外部接続端子２７０は、接続される種々の装置と有線でデータ送受信を行うためのインタフェースである。
【００４０】
ここで、携帯情報端末１００が有する各手段は、ＣＰＵ２１０が、ＲＯＭ２２０又はフラッシュメモリ２４０に記憶された各手段に対応するプログラムを実行することにより実現される形態としても良い。また、携帯情報端末１００が有する各手段は、当該各手段に関する処理をハードウエアとして実現する形態としても良い。
（外部装置のハードウエア構成）
【００４１】
図６を用いて、本実施の形態に係る外部装置３００のハードウエア構成の一例について説明する。図６は、外部装置３００のハードウエア構成の一例を示す図である。
【００４２】
図６で示すように、外部装置３００は、ＣＰＵ４２０、ＲＯＭ４３０、ＲＡＭ４４０、種々の電子回路４５０、オーディオ入出力端子４６０、所定の機能を提供する装置３３０を有する。ここでＭＣＵ（Micro Controller Unit）４１０は、ＣＰＵ４２０、ＲＯＭ４３０、ＲＡＭ４４０を含む構成としても良い。
【００４３】
ＣＰＵ４２０は、ＲＯＭ４３０に記憶されたプログラムを実行する装置であり、ＲＡＭ４４０に展開（ロード）されたデータを、プログラムの命令に従って演算処理し、外部装置３００全体を制御する。ＲＯＭ４３０は、ＣＰＵ４２０が実行するプログラムやデータを記憶している。ＲＡＭ４４０は、ＣＰＵ４２０でＲＯＭ４３０に記憶されたプログラムを実行する際に、実行するプログラムやデータが展開（ロード）され、演算の間、演算データを一時的に保持する。
【００４４】
種々の電子回路４５０は、電源供給手段３６０が利用する昇圧電源回路（倍電圧回路など）、電圧変換や波形整形に利用する電子回路などを含む。オーディオ入出力端子４６０は、オーディオ入出力端子１９０に接続するための端子（フォーンプラグ）であり、Ｌチャンネル・Ｒチャンネル・Ｍｉｃチャンネル・Ｇｎｄチャンネルの４チャンネル対応である。所定の機能を提供する装置３３０は、外部装置３００が備える所定の機能を発揮させる装置であり、所定の機能手段３３０そのものである。
【００４５】
ここで、外部装置３００が有する各手段は、ＣＰＵ４２０が、ＲＯＭ４３０に記憶された各手段に対応するプログラムを実行することにより実現される形態としても良い。また、外部装置３００が有する各手段は、当該各手段に関する処理をハードウエアとして実現する形態としても良い。
（情報処理システムによるデータ送信処理の流れ）
【００４６】
図７を用いて、本実施の形態に係る情報処理システム５００による（携帯情報端末１００側から見た）データ送信処理の流れを説明する。図７は、情報処理システム５００によるデータ送信処理の一例を示すフローチャートである。図４で示す操作画面２６０において所定の機能アプリ２８０を選択し実行指示を行うと、Ｓ１０の処理が開始される。
【００４７】
Ｓ１０で読み出し手段１１０が、記憶装置１７０に記憶される処理対象のデジタルデータを読み出しＲＡＭ２３０に転送する。ここで、処理対象データは、外部装置３００に対する制御信号を含むデータである。Ｓ２０で第１のＤ／Ａ変換手段１２０が、ＲＡＭ２３０に読み出された処理対象データを、マンチェスター符号などのバイフェーズ符号を利用してアナログオーディオデータに変換する。
【００４８】
Ｓ３０で転送手段１３０が、第１のＤ／Ａ変換手段１２０により生成されたアナログオーディオデータをＲＡＭ２３０からオーディオ再生バッファ１８０に転送する。ここで、オーディオ再生バッファ１８０がＲＡＭ２３０上に用意されている場合、転送手段１３０は、オーディオ再生バッファ１８０として割り当てられた領域にアナログオーディオデータを転送する。
【００４９】
Ｓ４０で第１のオーディオデータ出力手段１４０が、転送手段１３０によりオーディオ再生バッファ１８０へ転送されたアナログオーディオデータを、オーディオ入出力端子１９０のＬチャンネルを介して、外部装置３００へ出力する。
【００５０】
Ｓ５０で第１のＡ／Ｄ変換手段３１０が、携帯情報端末１００から取得したアナログオーディオデータであるＬチャンネル信号を、マンチェスター符号などのバイフェーズ符号を利用してデジタルデータに変換する。ここで、第１のＡ／Ｄ変換手段３１０によるＡ／Ｄ（Analog／Digital）変換処理の前に、Ｌチャンネル信号に対し波形整形処理や電圧変換処理を施す形態としても良い。また、第１のＡ／Ｄ変換手段３１０は、Ａ／Ｄ変換処理を行うと共に、周波数変換処理を行っても良く、例えば、本実施形態において第１のＡ／Ｄ変換手段３１０は、１１．０２５ｋＨｚのアナログオーディオ信号を９．６ｋｂｐｓのデジタルデータに変換する。
【００５１】
Ｓ６０で自機制御手段３２０が、第１のＡ／Ｄ変換手段３１０により生成（変換）されたデジタルデータに基づいて、所定の機能手段３３０を制御し、所定の機能手段３３０が、外部装置３００が備える所定の機能を実現する。
【００５２】
このような処理を行うことで、携帯情報端末１００とそれに接続されるハードウエア３００とを含むシステムにおいて、携帯情報端末１００側からハードウエア３００側を制御し、当該ハードウエア３００が備える所定の機能を発揮させることができる。
（情報処理システムによるデータ受信処理の流れ）
【００５３】
図８を用いて、本実施の形態に係る情報処理システム５００による（携帯情報端末１００側から見た）データ受信処理の流れを説明する。図８は、情報処理システム５００によるデータ受信処理の一例を示すフローチャートである。図４で示す操作画面２６０において所定の機能アプリ２８０を選択し実行指示を行うと、Ｓ１１０の処理が開始される。
【００５４】
Ｓ１１０で所定の機能手段３３０が、所定の機能を発揮させた結果であるデジタルデータを生成する。ここで、所定の機能を発揮させた結果とは、例えば、温度センサーであれば温度の測定結果、湿度センサーであれば湿度の測定結果、気圧（高度）センサーであれば気圧（高度）の測定結果、紫外線センサーであれば紫外線の測定結果である。また、所定の機能を発揮させた結果には携帯情報端末１００に対する制御信号を含んでいても良い。
【００５５】
Ｓ１２０で第２のＤ／Ａ変換手段３４０が、所定の機能手段３３０により生成されたデジタルデータを、マンチェスター符号などのバイフェーズ符号を利用してアナログオーディオデータに変換する。
【００５６】
Ｓ１３０で第２のオーディオデータ出力手段３５０が、第２のＤ／Ａ変換手段３４０により生成されたアナログオーディオデータを、オーディオ入出力端子１９０を介して、Ｍｉｃチャンネル信号としてオーディオ録音バッファ２００へ出力する。ここで、第２のＤ／Ａ変換手段３４０によるＤ／Ａ（Digital／Analog）変換処理の後に、Ｍｉｃチャンネル信号に対し波形整形処理や電圧変換処理を施す形態としても良い。また、オーディオ録音バッファ２００は、ＲＡＭ２３０上に設けられた所定の記憶領域であっても良い。
【００５７】
Ｓ１４０で第２のＡ／Ｄ変換手段１５０が、オーディオ録音バッファ２００に出力されたアナログオーディオデータを、マンチェスター符号等のバイフェーズ符号を利用してデジタルデータに変換し、ＲＡＭ２３０上の所定の作業領域に書き出す。Ｓ１５０で書込み手段１６０が、第２のＡ／Ｄ変換手段１５０により生成されＲＡＭ２３０上の作業領域に書き出されたデジタルデータを、記憶装置１７０の所定の場所に記憶させる。ここで所定の場所とは、予め定めた格納場所であっても良く、第２のＡ／Ｄ変換手段２００により生成（変換）されたデジタルデータ内で規定される形態であっても良い。また、所定の場所とは、書込み手段１６０による処理の都度ユーザなどが設定する形態であっても良い。
【００５８】
このような処理を行うことで、外部装置３００において生成されたデータを携帯情報端末１００側に取り込み、さらには当該データを携帯情報端末１００側で利用することができる。
（情報処理システムによる電源供給処理（その１）の流れ）
【００５９】
図９を用いて、本実施の形態に係る情報処理システム５００による電源供給処理の流れを説明する。図９は、携帯情報端末１００側から外部装置３００側に電源を供給する処理の一例を示すフローチャートである。ここでは、図３（ａ）で示す処理例、つまり、電力供給と通信信号とを分離したケースの処理例について説明する。また、本処理例では、Ｌチャンネルで通信信号、Ｒチャンネルで電力供給用信号を出力するものとする。図４で示す操作画面２６０において所定の機能アプリ２８０を選択し実行指示を行うと、Ｓ２１０の処理が開始される。
【００６０】
Ｓ２１０で読み出し手段１１０が、記憶装置１７０に記憶される処理対象のデジタルデータを読み出しＲＡＭ２３０に転送する。ここで、処理対象データは、外部装置３００に対する制御信号であっても良く、そのような意味の無い無意味なデータであっても良く、または、それらが混在するデータであっても良い。Ｓ２２０で第１のＤ／Ａ変換手段１２０が、ＲＡＭ２３０に読み出された処理対象データを、マンチェスター符号などのバイフェーズ符号を利用してアナログオーディオデータに変換する。
【００６１】
Ｓ２３０で転送手段１３０が、第１のＤ／Ａ変換手段１２０により生成されたアナログオーディオデータをＲＡＭ２３０からオーディオ再生バッファ１８０に転送する。ここで、オーディオ再生バッファ１８０がＲＡＭ２３０上に用意されている場合、転送手段１３０は、オーディオ再生バッファ１８０として割り当てられた領域へアナログオーディオデータを転送する。
【００６２】
Ｓ２４０で第１のオーディオデータ出力手段１４０が、転送手段１３０によりオーディオ再生バッファ１８０へ転送されたアナログオーディオデータを、オーディオ入出力端子１９０のＲチャンネルを介して、外部装置３００へ出力する。このとき、第１のオーディオデータ出力手段１４０は、Ｌチャンネルより出力されるデータと同じ内容のデータであって位相差πとなるデータを、Ｒチャンネルから外部装置３００へ出力する。
【００６３】
Ｓ２５０で電源供給手段３６０が、取得したＲチャンネル信号を半波整流倍電圧回路に入力し入力信号を昇圧する。Ｓ２６０で電源供給手段３６０が、半波整流倍電圧回路により昇圧されたＲチャンネル信号をＭＣＵ４１０（自機制御手段３２０、所定の機能手段３３０など）に入力する。
【００６４】
こうすることにより、外部装置３００は独自に電池などの電源を備えなくとも、自機が備えるＭＣＵ４１０、所定の機能手段３３０などを駆動させることができる。さらには、Ｌ・Ｒ両極から出力される波形が打ち消し合うため、オーディオ入出力端子１９０からフォーンプラグ４６０を引き抜いた際、オーディオ再生バッファ１８０にバッファリングされたデータが、携帯情報端末１００のスピーカーから出力されない。
（情報処理システムによる電源供給処理（その２）の流れ）
【００６５】
図１０を用いて、本実施の形態に係る情報処理システム５００による電源供給処理の流れを説明する。図１０は、携帯情報端末１００側から外部装置３００側に電源を供給する処理の一例を示すフローチャートである。ここでは、図３（ｂ）で示す処理例、つまり、電力供給と通信信号とを統合したケースの処理例について説明する。また、本処理例では、Ｌチャンネルで通信信号及び電力供給用信号を出力するものとする。図４で示す操作画面２６０において所定の機能アプリ２８０を選択し実行指示を行うと、Ｓ３１０の処理が開始される。
【００６６】
Ｓ３１０で読み出し手段１１０が、記憶装置１７０に記憶される処理対象のデジタルデータを読み出しＲＡＭ２３０に転送する。ここで、処理対象データは、外部装置３００に対する制御信号であっても良く、そのような意味の無い無意味なデータであっても良く、または、それらが混在するデータであっても良い。Ｓ３２０で第１のＤ／Ａ変換手段１２０が、ＲＡＭ２３０に読み出された処理対象データを、マンチェスター符号などのバイフェーズ符号を利用してアナログオーディオデータに変換する。
【００６７】
Ｓ３３０で転送手段１３０が、第１のＤ／Ａ変換手段１２０により生成されたアナログオーディオデータをＲＡＭ２３０からオーディオ再生バッファ１８０に転送する。ここで、オーディオ再生バッファ１８０がＲＡＭ２３０上に用意されている場合、転送手段１３０は、オーディオ再生バッファ１８０として割り当てられた領域へアナログオーディオデータを転送する。
【００６８】
Ｓ３４０で第１のオーディオデータ出力手段１４０が、転送手段１３０によりオーディオ再生バッファ１８０へ転送されたアナログオーディオデータを、オーディオ入出力端子１９０のＬチャンネルを介して、外部装置３００へ出力する。このとき、第１のオーディオデータ出力手段１４０は、Ｒチャンネルから信号を出力しないか、又は音楽データなど（データ属性に制限無し）の信号をＲチャンネルから外部装置３００へ出力する形態であっても良い。
【００６９】
Ｓ３５０で電源供給手段３６０が、取得したＬチャンネル信号を制御用信号と電源用信号とに分離すると共に、電源用信号を半波整流倍電圧回路に入力し入力信号を昇圧する。Ｓ３６０で電源供給手段３６０が、半波整流倍電圧回路により昇圧されたＬチャンネル信号をＭＣＵ４１０（自機制御手段３２０、所定の機能手段３３０など）に入力する。
【００７０】
こうすることにより、外部装置３００は独自に電池などの電源を備えなくとも、自機が備えるＭＣＵ４１０、所定の機能手段３３０などを駆動させることができる。さらには、オーディオ入出力端子１９０の１チャンネル分を空きチャンネルとして使用することができる。
（総括）
【００７１】
開示する情報処理システムは、携帯情報端末とそれに接続されるハードウエアとを含むシステムであって、当該システムの利用便利性を考慮しつつ、携帯情報端末からハードウエアに対し制御用電源を供給することができる。
【００７２】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００７３】
１００  携帯情報端末
１１０  読み出し手段
１２０  第１のＤ／Ａ変換手段
１３０  転送手段
１４０  第１のオーディオデータ出力手段
１５０  第２のＡ／Ｄ変換手段
１６０  書込み手段
１７０  記憶装置
１８０  オーディオ再生バッファ
１９０  オーディオ入出力端子
２００  オーディオ録音バッファ
２１０  ＣＰＵ
２２０  ＲＯＭ
２３０  ＲＡＭ
２４０  フラッシュメモリ
２５０  無線通信ユニット
２６０  表示装置
２７０  外部接続端子
２８０  外部装置制御用プログラム（所定の機能アプリケーション）
３００  外部装置
３１０  第１のＡ／Ｄ変換手段
３２０  自機制御手段
３３０  所定の機能手段
３４０  第２のＤ／Ａ変換手段
３５０  第２のオーディオデータ出力手段
３６０  電源供給手段
４１０  ＭＣＵ
４２０  ＣＰＵ
４３０  ＲＯＭ
４４０  ＲＡＭ
４５０  種々の電子回路
４６０  オーディオ入出力端子
５００  情報処理システム
【図１】
2012194931.tif 000003
【図２】
2012194931.tif 000004
【図３】
2012194931.tif 000005
【図４】
2012194931.tif 000006
【図５】
2012194931.tif 000007
【図６】
2012194931.tif 000008
【図７】
2012194931.tif 000009
【図８】
2012194931.tif 000010
【図９】
2012194931.tif 000011
【図１０】
2012194931.tif 000012